(57)【要約】      （修正有）【課題】一つの脚立を二体の梯子に分離し、踏み段の中間に開設した空間に板を渡して二体の梯子を連通し、梯子と板による作業足場を提供する。【解決手段】一つの脚立１を二体の梯子１１，１２に分離し、踏み段１１１，１２１の中間に開設した空間１１１０，１２１０に板を貫通させて、間隔をおいた二体の梯子１１，１２を連通することにより、梯子１１，１２と板が緊結した立位の作業足場を提供する。梯子１１，１２と足場板との煩雑な固定手順を労することなく、貫通による立位作業足場の手軽な組み立て解体を可能とした。【選択図】図１
2014152595.tif 000002
【特許請求の範囲】
【請求項１】
一つの脚立が二体の梯子に分離し、その梯子の任意の踏み段が上桟と下桟の間に空間を開設した構造として、その空間を板が貫通して前記二体の梯子を連通し、梯子と板による立位の作業足場を提供する脚立。
【発明の詳細な説明】
【技術分野】
【０００１】    本発明は一つの脚立が二体の梯子に分離して、その梯子を板が連通する簡便な組み合わせによる相互補完の立位の作業足場に関する。
【背景技術】
【０００２】    従来の梯子や脚立等の梯子状体による作業現場では、それら梯子状体あるいはそれらに渡した板を足場として作業をしていたが、そのため梯子状体の数が多くなり、またサイズの異なる梯子状体同士の組み合わせによる足場板の不安定や踏み段上の足場板の空滑りによる危険があったが、工期日程や作業効率の面から、梯子状体と足場板を緊結して安定固定する手間や時間の手順を省かざるを得ない場合があった。【０００３】    さらに、梯子状体と足場板を固定したとしても、作業位置を大きく移動するには、その固定を解除する煩雑さがあった。【０００４】
【発明の開示】
【発明が解決しようとする課題】
【０００５】本発明は従来の実態が有していた問題を解決しようとするものであり、作業現場の前記梯子状体数の削減や、足場板との煩雑な固定手順を省いて立位作業足場の手軽な組み立て、分解を可能とすることを目的とするものである。
【課題を解決するための手段】
【０００６】  本発明は、その実現のため、一つの脚立が二体の梯子に分離し、以下文中立位である、その梯子の任意の踏み段が上桟と下桟の間に空間を開設した構造としており、その空間に板が貫通して前記二体の梯子を連通し、梯子と板による立位の作業足場を提供可能とするため、開設した空間を、それよりもやや薄い板が貫通して二体の梯子を連通し、そうして互いの足元のみをさらに離間してハの字状の開脚状態に広げれば、板の上下両面を上側の足を乗せる上桟と下側の板を乗せる下桟とでこじる様にはさみつけることとなり、結果、梯子と板は緊結状態となり、梯子と足場板との煩雑な固定手順を労することなくして、立位作業足場の手軽な組み立てが可能となる。
連通する際の踏み段の高さは、作業現場により高低任意にしていずれ同一段にしても良いし、現場床の起伏状態等により、異なる高さの踏み段と組み合わせることも出来る。
板の上に人や物が乗ると加重によりこじる様にはさみつける力がさらに大きくなり、その緊結状態は益々安定する。
板を持ち上げれば前記ハの字状の開脚状態は自然に狭まり、こじる様にはさみつける力は失われ緊結状態は緩むので、二体の梯子の間隔は自由に調節できるし、あるいは、前記空間から板を抜き出せば、立位作業足場は手軽に解体できる。
安全が確認できれば、前記両側の梯子の足元を開脚状態とするよりも逆ハの字の閉脚状態や平行斜立状態等、作業現場に対応して前記以外の態勢を選ぶことも可能である。【０００７】  作業足場をさらに延長するには、前記板の横の同一空間の余地スペースにもう一枚の追加板を差込み、延長方向で別の同様脚立の一体の梯子の同様空間と連通すれば、安定したさらに広範な立位作業足場が成立する。あるいは、追加板は前記横でなく、上下同様段のいずれかの空間において同様の追加連通をすればよい。
以下同様追加繰り返しが可能である。
あるいは、長尺の板を使用するに、前記二体の梯子の間隔の中途にも別の同様脚立の梯子を適宜数追加して中間支えとしてもよい。
空間を開設する踏み段は、空間を挟んで上に足を乗せる踏み桟である上桟と下に板を乗せる下桟という３層構造からなり、前記こじる力に対応する必要強度のため、従来の単なる踏み桟のみの単層構造の踏み段脚立に比べ堅牢となる反面、重量がやや大きくなりやすいので、以上を勘案し、踏み段の全てに空間を設けるか、空間を設けない踏み段との混合の脚立として重量を軽減してもよい。
左右の支柱が各踏み段ごとの入れ子式とした市販の伸縮自在脚立を分離して二体の伸縮自在の梯子とし、その梯子の上下隣接する任意の両段の上段を足を乗せる上桟、下段を板を乗せる下桟、その両桟間を前記使用に適う空間に開設し固定して３層構造の踏み段の仕組みとするため、固定する手段として、前記単層構造踏み段間隔に固定可能とするストッパーを本件空間開設の間隔においても固定可能とさせて、本考案の３層構造を成立させ、事後、伸縮自在に単層構造踏み段梯子形状や短縮収納形状とする。
あるいは、別途、そのための独立のストッパーを具備してもよい。
また、前記空間として垂直方向厚み幅充分とした踏み段の左右両端部を残して中間をくり抜き、上を上桟、下を下桟の３層構造として、充分な垂直厚み幅で左右の支柱に取り付かせれば横方向変形を防ぐ強度が増し、はすかい支えが不要となる。【０００８】  分離した二体の梯子を再び速やかに合体して、一つの脚立の形に回復するには、双方の結合部が互いに雌雄嵌合する結合分離自在の形状にしたり、従来の形態に見られる結合部の双方の穴を重ね合せ回動可能にして分離不可にかしめるかしめ鋲に代え、蝶ボルトと蝶ナットによる組み合わせの結合分離自在とする素材で取り付け結合するなど、旧来より開陳された仕組みを採用して、コストや簡便性を勘案した結合部とする。【０００９】  前記、空間と板の厚みによる隙間程度で開脚状態や閉脚状態が変わるが、使用上、概ね７０度の梯子の立ち上がり角度が望ましいとすれば、そのように厚み板を選ぶか、隙間に補厚素材を付加して調整する。【００１０】
【発明の効果】
【００１１】    以上、一つの脚立として持ち運びや使用ができ、必要に応じて前記二体の梯子に分離し、板を連通して足場とすれば、もともと一つの脚立であるので双方の各ステップが同一高さであり、梯子と板は簡便な緊結状態となり、足場板の不安定や踏み段上の足場板の空滑りが解消され、従来の二脚の脚立に一枚の板を渡して作業足場としていた等、無駄な梯子状体の数を省略し、作業環境や効率が改善されるものである。【００１２】  上段の踏み段の空間に板を差し込んだ足場とした場合、下段の踏み段から踏み上がって行くので、両側に梯子がおのずから付設された作業台が提供されていることとなる。【００１３】
【発明を実施するための最良の形態】
【００１４】    本発明の実施の一例の形態を図１に基づいて説明する。
脚立１を分離して２体の梯子１１と梯子１２として、各梯子のすべての踏み段の中間に空間を開設し、その２体を脚立使用時の内側を向かい合わせて間隔をあけて立て、前記空間よりもやや薄い板２を梯子１１の３層構造の上桟１１１１、空間１１１０、下桟１１１２からなる踏み段１１１の空間１１１０に差し込んで貫通させ、さらに梯子１２の３層構造の上桟１２１１、空間１２１０、下桟１２１２からなる踏み段１２１の空間１２１０を貫通して、結果、板２は２体の梯子を空間１１１０と空間１２１０で連通することとなり、そうして梯子１１と、梯子１２の上部間隔はそのままにして下部間隔を広げ、床からの梯子立ち上がり角度が概ね双方７０度程度を安定した立位の作業台の目安として、互いの足元のみをさらに離間してハの字状の開脚状態とすれば板２の上下両面を、双方の空間上側の足を乗せる上桟と下側の板を乗せる下桟とでこじる様にはさみつけることとなり、結果、梯子と板は緊結状態となり、梯子１１、板２、梯子１２とは相互均衡立位して、安定した作業足場となる。板２の上に人や物が乗ると、前記こじる力が増加するため、梯子と板の緊結状態はますます強化される。【００１５】
【図面の簡単な説明】
【００１６】
【図１】本発明の実施形態を示す分離脚立の概略図
【符号の説明】
【００１７】    １        本発明の分離脚立
２        板
１１      分離した梯子
１２      分離した梯子
１１１    踏み段
１２１    踏み段
１１１０  空間
１１１１  上桟
１１１２  下桟
１２１０  空間
１２１１  上桟
１２１２  下桟
【図１】
2014152595.tif 000003
【図２】
2014152595.tif 000004
【手続補正書】
【提出日】平成25年3月4日(2013.3.4)
【手続補正１】
【補正対象書類名】明細書
【補正対象項目名】００１７
【補正方法】変更
【補正の内容】
【００１７】１        本発明の分離脚立
２        板
１１      梯子
１２      梯子
１１１    踏み段
１２１    踏み段
１１１０  空間
１１１１  上桟
１１１２  下桟
１２１０  空間
１２１１  上桟
１２１２  下桟
【手続補正書】
【提出日】平成25年5月17日(2013.5.17)
【手続補正１】
【補正対象書類名】明細書
【補正対象項目名】００１６
【補正方法】変更
【補正の内容】
【００１６】
【図１】本発明の実施形態を示す分離脚立の概略図
【図２】本発明の実施形態を示す分離脚立の分離時概略図